(57)【要約】【課題】被験者への負担を軽減しつつ、センサが被験者の頭部からずれにくい生体信号計測装置を提供する。【解決手段】左耳かけ部２１及び右耳かけ部２２には、左電池３１及び右電池３２の重みによって、被験者の頭部後方側へ引っ張られる力である引張力が発生する。これにより、左耳かけ部２１及び右耳かけ部２２と接続されているフレーム１が、被験者の頭部後方側へ移動する力が働く。その結果、フレーム１と接続されているバンド４の両端が、被験者の頭部後方側へ引っ張られ、バンド４が被験者の額へ当接しやすくなる。【選択図】図１
2018061572.tif 000002
【特許請求の範囲】
【請求項１】
人体の頭部における前方を囲むように装着されるフレーム（１，８）と、
前記フレームの両端のうちの一端に取り付けられた第１の耳かけ部（２１）と、
前記フレームの両端のうちの他端に取り付けられた第２の耳かけ部（２２）と、
前記第１の耳かけ部に取り付けられた第１の電池（３１）と、
前記第２の耳かけ部に取り付けられた第２の電池（３２）と、
シート状かつ帯状のベルト（４２，９２）と、
前記ベルトに取り付けられており、前記頭部から生体信号を検知する少なくとも１つのセンサ（４３２）と、
前記第１の電池及び前記第２の電池を電源として駆動し、前記センサによって検知された前記生体信号に基づく処理を行う処理部（４３５）と、
を備え、
前記ベルトの両端は、一端に第１の固定部（４２Ｌ，９２１Ｌ）を有し、他端に第２の固定部（４２Ｒ，９２１Ｒ）を有し、
前記第１の固定部及び前記第２の固定部は、前記フレームにおける前記頭部と対向する側の面であるフレーム対向面に固定される部分であって、
前記第１の固定部と前記第２の固定部とは、前記フレーム対向面における、前記フレームの平面視において前記フレームの中心線を挟んだ位置に固定されており、
前記第１の耳かけ部及び前記第２の耳かけ部は、前記フレームに対して回転移動可能に構成されており、
前記第１の耳かけ部及び前記第２の耳かけ部には、前記フレームが人体の頭部に装着された際、前記第１の電池及び前記第２の電池の重みによって、前記頭部の後方側への外力が発生し、前記外力によって、前記頭部の後方側へ移動する方向への力が前記フレームにかかる、生体信号計測装置（１００，２００，３００）。
【請求項２】
請求項１に記載の生体信号計測装置であって、
前記ベルトにおける前記頭部と対向する側の面であるベルト対向面に取り付けられた弾性体（４３４）を更に備え、
前記センサは、前記センサにおける前記生体信号を計測する面が露出した状態で、前記弾性体に埋まっている、生体信号計測装置。
【請求項３】
請求項１又は請求項２に記載の生体信号計測装置であって、
前記フレームは、前記フレーム対向面に、前記第１の固定部が着脱可能に固定される第１の受け部（１Ｌ）と、前記第２の固定部が着脱可能に固定される第２の受け部（１Ｒ）と、を有する、生体信号計測装置。
【請求項４】
請求項３に記載の生体信号計測装置において、
前記第１の受け部は、前記第１の電池と電気的に接続される第１のフレーム端子（８２Ｌ）を有し、
前記第２の受け部は、前記第２の電池と電気的に接続される第２のフレーム端子（８２Ｒ）を有し、
前記第１の固定部は、前記処理部と電気的に接続される第１の固定端子（９２２Ｌ）を有し、
前記第２の固定部は、前記処理部と電気的に接続される第２の固定端子（９２２Ｒ）を有し、
前記第１のフレーム端子及び前記第１の固定端子は、前記第１の固定部が前記第１の受け部に固定された状態で接触するように構成され、
前記第２のフレーム端子及び前記第２の固定端子は、前記第２の固定部が前記第２の受け部に固定された状態で接触するように構成されている、生体信号計測装置。
【請求項５】
請求項１から請求項４までのいずれか１項に記載の生体信号計測装置であって、
前記処理部は、前記生体信号を前記生体信号計測装置の外部へ無線送信する処理を行う、生体信号計測装置。
【請求項６】
請求項１から請求項５までのいずれか１項に記載の生体信号計測装置であって、
第１の接続部品（６１）と、第２の接続部品（６２）と、を更に備え、
前記第１の接続部品は、前記第１の耳かけ部と前記フレームとの間に配置されており、
前記第２の接続部品は、前記第２の耳かけ部と前記フレームとの間に配置されており、
前記第１の接続部品及び前記第２の接続部品はそれぞれ、前記フレームに対して前記フレームの長手方向に沿ってスライド移動可能に接続されており、
前記第１の耳かけ部は、前記第１の接続部品と、前記第１の接続部品に対して回転移動可能に接続されており、前記頭部の上方へ回転移動されることにより、前記頭部の上方の位置で保持され、
前記第２の耳かけ部は、前記第２の接続部品と、前記第２の接続部品に対して回転移動可能に接続されており、前記頭部の上方へ回転移動されることにより、前記頭部の上方の位置で保持される、生体信号計測装置。
【請求項７】
請求項１から請求項６までのいずれか１項に記載の生体信号計測装置であって、
光を遮蔽する少なくとも１つの遮蔽部品（１０）、を更に備え、
前記遮蔽部品は、前記フレームの平面視において、前記フレームと前記頭部との間に存在する空間のうち少なくとも一部を覆うように配置されている、生体信号計測装置。
【発明の詳細な説明】
【技術分野】
【０００１】
本開示は、生体信号計測装置に関する。
【背景技術】
【０００２】
被験者の頭部に装着して生体信号を計測する生体信号計測装置が知られている。このような生体信号の計測は、例えば特許文献１に記載のように、被験者の頭部に装着されるフレームに設けられたセンサを、被験者の頭部に当接させる方法により行われることが一般的である。
【先行技術文献】
【特許文献】
【０００３】
【特許文献１】特開２０１３−８５６２１号公報
【発明の概要】
【発明が解決しようとする課題】
【０００４】
ところが、頭部の形状は被験者によって異なるため、フレームが頭部に適合しない場合があり、計測中にセンサが頭部からずれてしまう問題があった。このずれを防ぐために、フレームによって被験者の頭部を強く締め付けると、センサが頭部に強く押圧され、被験者への負担が大きくなってしまうことが懸念される。
【０００５】
本開示の一局面は、被験者への負担を軽減しつつ、センサが被験者の頭部からずれにくい生体信号計測装置の提供を目的としている。
【課題を解決するための手段】
【０００６】
本開示の一態様は、生体信号計測装置（１００，２００，３００）であって、フレーム（１，８）と、第１の耳かけ部（２１）と、第２の耳かけ部（２２）と、第１の電池（３１）と、第２の電池（３２）と、ベルト（４２，９２）と、センサ（４３２）と、処理部（４３５）と、を備える。フレームは、人体の頭部における前方を囲むように装着される。第１の耳かけ部は、フレームの両端のうちの一端に取り付けられている。第２の耳かけ部は、フレームの両端のうちの他端に取り付けられている。第１の電池は、第１の耳かけ部に取り付けられている。第２の電池は、第２の耳かけ部に取り付けられている。ベルトは、シート状かつ帯状である。センサは、少なくとも１つあって、ベルトに取り付けられており、人体の頭部から生体信号を検知する。処理部は、第１の電池及び第２の電池を電源として駆動し、センサによって検知された生体信号に基づく処理を行う。より詳しくは、ベルトの両端は、一端に第１の固定部（４２Ｌ，９２１Ｌ）を有し、他端に第２の固定部（４２Ｒ，９２１Ｒ）を有する。また、第１の固定部及び第２の固定部は、フレームにおける人体の頭部と対向する側の面であるフレーム対向面に固定される部分である。さらに、第１の固定部と第２の固定部とは、フレーム対向面における、フレームの平面視においてフレームの中心線を挟んだ位置に固定されている。そして、第１の耳かけ部及び第２の耳かけ部は、フレームに対して回転移動可能に構成されている。また、第１の耳かけ部及び第２の耳かけ部には、フレームが人体の頭部に装着された際、第１の電池及び第２の電池の重みによって、人体の頭部の後方側への外力が発生し、当該外力によって、人体の頭部の後方側へ移動する方向への力がフレームにかかる。
【０００７】
このような構成によれば、シート状かつ帯状のベルトが人体の頭部の形状に沿うように位置するため、ベルトを人体の頭部に強く押圧しなくても、センサが人体の頭部からずれにくくなる。このため、被験者への負担を軽減しつつ、センサが被験者の人体の頭部からずれにくい生体信号計測装置を提供することが可能となる。
【図面の簡単な説明】
【０００８】
【図１】第１実施形態における生体信号計測装置の模式図である。
【図２】第１実施形態における生体信号計測装置の平面図である。
【図３】図２のIII−III断面図である。
【図４】第１実施形態におけるバンドの平面図である。
【図５】第１実施形態におけるバンドの側面図である。
【図６】第１実施形態におけるフレーム及び耳かけ部の拡大図である。
【図７】第１実施形態におけるフレーム及び耳かけ部の接続構造を示す図である。
【図８】第２実施形態におけるフレームの左端部及びバンドの接続構造を示す図である。
【図９】第２実施形態におけるフレームの右端部及びバンドの接続構造を示す図である。
【図１０】第３実施形態における生体信号計測装置の模式図である。
【図１１】第３実施形態における生体信号計測装置の断面図である。
【発明を実施するための形態】
【０００９】
以下、本開示の例示的な実施形態について図面を参照しながら説明する。
［１．第１実施形態］
［１−１．構成］
図１及び図２に示す生体信号計測装置１００は、人体を被験対象とする装置であって、被験者の頭部に装着され、被験者の生体信号の一例である脳血流成分を計測する装置である。生体信号計測装置１００は、近赤外分光法（以下、ＮＩＲＳ）を用いて、すなわち被験者の頭部に向けて近赤外光を照射し、脳組織から拡散反射された光を受光することによって、被験者の脳血流成分を計測する。なお、ＮＩＲＳは、Ｎｅａｒ  Ｉｎｆｒａｒｅｄ  Ｓｐｅｃｔｒｏｓｃｏｐｙの略称である。
【００１０】
生体信号計測装置１００は、フレーム１と、左耳かけ部２１と、右耳かけ部２２と、左電池３１と、右電池３２と、バンド４と、補助機構５と、を備える。なお、補助機構５は、図１では省略され、左電池３１及び右電池３２は、図２では省略されている。
【００１１】
フレーム１は、被験者の頭部に装着するためのプラスチック製のフレームである。フレーム１は、概略Ｕ字状かつ概略左右対称に湾曲しており、被験者の頭部に装着された際、被験者の頭部の前方側半分を囲むように形成されている。フレーム１における被験者の頭部左側に対応する端部である左端部は、受け部１Ｌを有する。受け部１Ｌは、面ファスナーである。受け部１Ｌには、後述するバンド４の固定部４２Ｌが固定されている。フレーム１における被験者の頭部右側に対応する端部である右端部は、受け部１Ｒを有する。受け部１Ｒは、受け部１Ｌと同様、面ファスナーである。受け部１Ｒには、後述するバンド４の固定部４２Ｒが固定されている。図３に示すように、フレーム１の中央には、後述するフレーム孔１Ｈが設けられている。フレーム孔１Ｈには、後述するガイドピン５１が挿通されている。また、図６に示すように、フレーム１における右端部には、フレーム１の長手方向に沿って、スリット状のスライド孔１３が設けられている。フレーム１における左端部には、スライド孔１３と同様に、フレーム１の長手方向に沿って、スリット状のスライド孔が設けられている。なお、フレーム孔１Ｈ及びスライド孔１３の詳細な説明については後述する。
【００１２】
図１に戻り、左耳かけ部２１は、生体信号計測装置１００が被験者に装着された際、被験者の左耳上に保持される概略Ｕ字状の部品である。左耳かけ部２１は、フレーム１における両端のうちの一端、より詳しくは、生体信号計測装置１００が被験者に装着された状態において、フレーム１における左端部に設けられている。
【００１３】
右耳かけ部２２は、生体信号計測装置１００が被験者に装着された際、被験者の右耳上に保持される概略Ｕ字状の部品である。右耳かけ部２２は、フレーム１における両端のうちの他端、より詳しくは、生体信号計測装置１００が被験者に装着された状態において、フレーム１における右端部に設けられている。また、右耳かけ部２２の端部は、後述する接続部品６２との係止に用いられる孔２２４を有する。右耳かけ部２２と同様、左耳かけ部２１の端部は、後述する接続部品６１との係止に用いられる孔を有する。なお、左耳かけ部２１及び右耳かけ部２２と、フレーム１との接続構造についての詳細な説明は後述する。
【００１４】
左電池３１及び右電池３２は、後述するセンサ部４３に電力を供給する乾電池である。左電池３１は、左耳かけ部２１の外側の面に取り付けられており、右電池３２は、右耳かけ部２２の外側の面に取り付けられている。なお、本実施形態における、「内側」とは、生体信号計測装置１００が被験者の頭部に装着された際、被験者の頭部に対向する面の側を指し、「外側」とは、被験者の頭部に対向する面の側と反対の側を指す。また、電池の種類については乾電池に限定されるものではなく、左電池及び右電池は、例えばボタン電池など、他の電池であってもよい。
【００１５】
バンド４は、被験者の額に当接し、被験者の脳血流成分を計測する部分であって、帯状の部品である。図４に示すように、バンド４は、ボス４１と、ベルト４２と、センサ部４３と、を備える。
【００１６】
ボス４１は、複数、本実施形態では３つ、後述するセンサ部４３の基板４３３の上に等間隔に配設されている。図３に示すように、ボス４１は、後述するベルト４２及び基板４３３を囲む断面が概略Ｃ字状のエラストマーであって、後述する弾性体４３４と固定されている。３つのボス４１のうち、センサ部４３の中央に設けられたボス４１には、ねじ溝が切られたボス孔４１Ｈが設けられている。ボス孔４１Ｈは、後述するガイドピン５１の先端を固定するための孔である。
【００１７】
ベルト４２は、後述するセンサ部４３を被験者の額に当接させるための、シート状かつ帯状のゴム製の部材である。ベルト４２は、フレーム１の内側に設置されている。ベルト４２の両端は、受け部１Ｌ及び受け部１Ｒと着脱可能な面ファスナーである、固定部４２Ｌと、固定部４２Ｒと、を有する。固定部４２Ｌと固定部４２Ｒとは、図２に示すように、フレーム１の内側の面における、フレーム１の平面視において、フレーム１の中心線を挟んだ位置に固定されている。具体的には、本実施形態では、固定部４２Ｌは、フレーム１の受け部１Ｌに固定されている。同様に、固定部４２Ｒは、フレーム１の受け部１Ｒに固定されている。なお、ベルト４２の固定部４２Ｌ及び固定部４２Ｒ以外の部分は、フレーム１と離間している。
【００１８】
センサ部４３は、左電池３１及び右電池３２を電源として、被験者の頭部から脳血流成分を検知する。具体的には、センサ部４３は、図示しないコネクタを有し、当該コネクタは、左電池３１及び右電池３２が有する図示しないコネクタと着脱可能に接続されている。これにより、センサ部４３と、左電池３１及び右電池３２とはそれぞれ電気的に接続されている。センサ部４３は、ボス４１を介してベルト４２に取り付けられている。図４及び図５に示すように、センサ部４３は、光源４３１と、検知部４３２と、基板４３３と、弾性体４３４と、処理部４３５と、を有する。
【００１９】
光源４３１は、被験者の頭部に向けて近赤外光を出射するＬＥＤである。検知部４３２は、光源４３１から近赤外光が出射された後、脳組織から拡散反射された光を検知するフォトダイオードである。光源４３１及び検知部４３２は、ベルト４２の長手方向に沿って複数配設されている。
【００２０】
基板４３３は、光源４３１、検知部４３２及び処理部４３５が搭載された板状の部材である。光源４３１、検知部４３２及び処理部４３５は、基板４３３の同一面上に、具体的には、生体信号計測装置１００の内側方向に突出するように配置されている。
【００２１】
弾性体４３４は、ボス４１よりも柔らかい、被験者の額に当接される熱可塑性のエラストマーである。弾性体４３４は、基板４３３よりも幅が広い帯状であって、基板４３３の上に設置されている。弾性体４３４は、光源４３１及び検知部４３２の間の空間を埋めるように、処理部４３５の部分を除いた基板４３３の一面を覆うように形成されている。センサ部４３が被験者の額に当接された際、光源４３１の表面、検知部４３２の表面及び弾性体４３４の表面すべてが被験者の額に当接するように、光源４３１の表面、検知部４３２の表面及び弾性体４３４の表面は面一に形成されている。
【００２２】
処理部４３５は、検知部４３２によって検知された検知結果に基づく処理を行う。処理部４３５は、送信部４３５Ａと、ＣＰＵ４３５Ｂと、を有する。送信部４３５Ａは、生体信号計測装置１００とは別の場所に設置された図示しない処理装置に、検知結果を無線送信する。ＣＰＵ４３５Ｂは、検知結果を取得し及び無線送信する一連の処理を行う。
【００２３】
図３に示すように、ガイドピン５１は、フレーム１に対してバンド４を保持するための部品である。ガイドピン５１の先端は、ねじが切られており、ボス孔４１Ｈに螺合され、接着剤によって接着されている。ガイドピン５１は、バンド４が被験者の額側に移動する動きとともに、被験者の額側に移動する。これにより、ガイドピン５１は、バンド４をフレーム１の中央で保持する機能を有する。
【００２４】
ここで、左耳かけ部２１及び右耳かけ部２２と、フレーム１との接続構造について説明する。図６及び図７に示すように、右耳かけ部２２とフレーム１との間には、右耳かけ部２２とフレーム１との接続に用いられる接続部品６２が配置されている。接続部品６２は、概略円板状の部品であって、スライド片６３と、凸部６４と、を有する。スライド片６３は、接続部品６２における板状の突起であって、スライド孔１３に挿入されている。凸部６４は、接続部品６２におけるスライド片６３とは反対の面から突出している山状の突起である。凸部６４は、後述するように、右耳かけ部２２の位置を保持する機能を有する。
【００２５】
フレーム１、右耳かけ部２２及び接続部品６２は、ビス７１及びナット７２によって、フレーム１及び右耳かけ部２２が接続部品６２を挟んだ状態で接続されている。なお、ビス７１及びナット７２は、図６では省略されている。
【００２６】
より詳しくは、接続部品６２は、スライド孔１３に挿入された状態のスライド片６３がスライド孔１３内で移動可能な範囲、具体的にはスライド孔１３の長手方向に沿った直線状の範囲において、フレーム１に対して平行移動可能に接続されている。また、右耳かけ部２２は、ビス７１及びナット７２によって固定されている部分を回転軸Ｐ１として回転移動可能に接続されている。つまり、右耳かけ部２２は、フレーム１に対して平行移動かつ回転移動可能に接続されている。
【００２７】
さらに、右耳かけ部２２は、被験者の頭部上方へ回転移動されることによって、その回転位置が保持される。具体的には、図６に示すように、右耳かけ部２２が被験者の頭部上方へ回転移動し、凸部６４の位置まで孔２２４が移動することによって、凸部６４と孔２２４とが係止される。これにより、右耳かけ部２２は、被験者の頭部上方の位置で保持される。なお、右耳かけ部２２は、凸部６４から孔２２４を外すことによって、被験者の頭部下方向へ回転移動可能となる。
【００２８】
なお、被験者の頭部左側にも、被験者の頭部右側と同様、左耳かけ部２１とフレーム１との間に、接続部品６１が配置されている。左耳かけ部２１は、右耳かけ部２２と同様、接続部品６１を介して、フレーム１に対して、平行移動可能及び回転移動可能に接続され、被験者の頭部上方へ回転移動されることによって、その回転位置が被験者の頭部上方で保持される。
【００２９】
生体信号計測装置１００を被験者に装着する際、左耳かけ部２１及び右耳かけ部２２は、被験者の頭部上方へ回転移動されることにより、被験者の頭部上方の位置で保持される。そして、左耳かけ部２１及び右耳かけ部２２は、生体信号計測装置１００を被験者の頭部へ設置した後、被験者の頭部下方へ回転移動されることによって、被験者の左右の耳それぞれに当接する。その際に、左耳かけ部２１及び右耳かけ部２２には、左電池３１及び右電池３２の重みによって、被験者の頭部後方側へ引っ張る力である引張力が発生する。具体的には、図６に示すように、右耳かけ部２２が被験者の頭部下方へ回転移動する際、右電池３２の重力Ｖ３のうち、回転軸Ｐ２を中心とした円の接線方向の分力である回転力Ｖ１は、被験者の耳介との接触点に加えられる。一方、回転力Ｖ１の方向に対して垂直な方向の分力である引張力Ｖ２は、被験者の頭部後方側へ右耳かけ部２２を引っ張るように作用する。これにより、右耳かけ部２２及び右耳かけ部２２と接続されているフレーム１が、被験者の頭部後方側へ移動する力が働く。
【００３０】
［１−２．効果］
以上詳述した第１実施形態によれば、以下の効果が得られる。
（１ａ）左耳かけ部２１及び右耳かけ部２２には、左電池３１及び右電池３２の重みによって、被験者の頭部後方側へ引っ張られる力である引張力が発生する。これにより、左耳かけ部２１及び右耳かけ部２２と接続されているフレーム１が、被験者の頭部後方側へ移動する力が働く。その結果、フレーム１と接続されているバンド４の両端が、被験者の頭部後方側へ引っ張られ、バンド４が被験者の額へ当接しやすくなる。
【００３１】
このような構成によれば、シート状かつ帯状のバンド４が被験者の頭部の形状に沿うように位置するため、バンド４を被験者の頭部に強く押圧しなくても、センサ部４３が頭部からずれにくくなる。このため、被験者への負担を軽減しつつ、センサ部４３が被験者の頭部からずれにくい生体信号計測装置１００を提供することが可能となる。
【００３２】
（１ｂ）バンド４のセンサ部４３は、弾性体４３４を有する。このため、センサ部４３が被験者の頭部からずれにくくなる。加えて、弾性体４３４は、センサ部４３が被験者の額に当接された際、光源４３１の表面、検知部４３２の表面及び弾性体４３４の表面すべてが被験者の額に当接するように、光源４３１の表面、検知部４３２の表面及び弾性体４３４の表面と面一に形成されている。このような構成によれば、被験者の額に、光源４３１の表面、検知部４３２の表面及び弾性体４３４の表面が広い範囲で面接触する。したがって、例えばセンサ部における光源及び検知部のみが突出しているバンドを被験者の額に当接する場合と比較して、当該額にかかる圧力が分散されるため、被験者への負担を軽減することができる。
【００３３】
（１ｃ）フレーム１は、固定部４２Ｌが着脱可能に固定される受け部１Ｌと、固定部４２Ｒが着脱可能に固定される受け部１Ｒと、を有する。このような構成によれば、例えば生体信号の計測方法が異なるバンドに交換したり、経年劣化や故障等の理由により新品のバンドに交換するなど、目的に合わせてバンド４の交換が可能となる。
【００３４】
（１ｄ）処理部４３５は、脳血流成分の検知結果を生体信号計測装置１００の外部へ無線送信する処理を行う。このような構成によれば、生体信号計測装置１００と処理装置とを接続するケーブルを必要としない。そのため、生体信号計測装置１００を被験者の頭部に設置した際の被験者の可動域の向上や、生体信号計測装置１００の軽量化など、被験者の負担を軽減することができる。
【００３５】
（１ｅ）左耳かけ部２１は接続部品６１を介して、右耳かけ部２２は接続部品６２を介して、フレーム１に対して平行移動かつ回転移動可能に接続されており、被験者の頭部上方へ回転移動されることによって、その回転位置が被験者の頭部上方の位置で保持される。このような構成によれば、左耳かけ部２１及び右耳かけ部２２の位置が被験者の頭部上方にて保持される。そのため、生体信号計測装置１００を被験者に装着又は被験者から離脱しやすくすることができる。
【００３６】
なお、第１実施形態では、左耳かけ部２１が第１の耳かけ部に相当し、右耳かけ部２２が第２の耳かけ部に相当する。また、左電池３１が第１の電池に相当し、右電池３２が第２の電池に相当する。また、固定部４２Ｌが第１の固定部に相当し、固定部４２Ｒが第２の固定部に相当し、受け部１Ｌが第１の受け部に相当し、受け部１Ｒが第２の受け部に相当する。
【００３７】
［２．第２実施形態］
［２−１．構成］
第２実施形態の生体信号計測装置２００は、図８及び図９に示すように、第１実施形態のフレーム１及びバンド４に代えて、着脱方法が異なるフレーム８及びバンド９を有する。その他、基本的な構成は第１実施形態と同様であり、第１実施形態と共通する構成については、同一符号を用いて説明を省略する。
【００３８】
フレーム８は、第１実施形態のフレーム１と同様の形状を有する、被験者の頭部に装着するためのプラスチック製のフレームである。ただし、第２実施形態では、フレーム８における被験者の頭部左側に対応する端部である左端部に、第１実施形態の受け部１Ｌの代わりに、凹部８１Ｌ及びフレーム端子８２Ｌを有する。凹部８１Ｌは、フレーム８の内側に設けられた凹みである。より詳しくは、凹部８１Ｌは、後述する固定部９２１Ｌが固定されるための凹みであって、固定部９２１Ｌの外径とほぼ同一の大きさの円筒状に凹んでいる。フレーム端子８２Ｌは、後述するバンド９の固定端子９２２Ｌと電気的に接続されるための端子である。フレーム端子８２Ｌは、凹部８１Ｌの内面に設けられている。
【００３９】
フレーム８の右端部も、第１実施形態の受け部１Ｒの代わりに、凹部８１Ｒ及びフレーム端子８２Ｒを有する。凹部８１Ｒは、凹部８１Ｌと同様、フレーム８の内側に設けられた凹みである。より詳しくは、凹部８１Ｒは、後述する固定部９２１Ｒが固定されるための凹みであって、固定部９２１Ｒの外径とほぼ同一の大きさの円筒状に凹んでいる。フレーム端子８２Ｒは、フレーム端子８２Ｌと同様、後述するバンド９の固定端子９２２Ｒと電気的に接続されるための端子である。フレーム端子８２Ｒは、凹部８１Ｒの内面に設けられている。
【００４０】
バンド９は、第１実施形態のバンド４と同様、被験者の額に当接し、被験者の脳血流成分を計測する部分であって、帯状の部品である。ただし、バンド９は、第１実施形態のベルト４２の代わりに、ベルト９２を備える点が異なる。ベルト９２は、ベルト４２と基本的な構成は同じであるが、第１実施形態の固定部４２Ｌの代わりに、固定部９２１Ｌ及び固定端子９２２Ｌを有する。固定部９２１Ｌは、円柱状の部材であって、ベルト９２の左端部に設けられている。固定端子９２２Ｌは、フレーム端子８２Ｌと電気的に接続されるための端子である。固定端子９２２Ｌは、固定部９２１Ｌの外面に設けられている。固定部９２１Ｌ及び固定端子９２２Ｌは、凹部８１Ｌに挿入されることによってフレーム８に着脱可能に固定されるとともに、フレーム端子８２Ｌと固定端子９２２Ｌとが互いに接触することで、電気的に接続される。
【００４１】
同様に、ベルト９２は、固定部４２Ｒの代わりに、固定部９２１Ｒ及び固定端子９２２Ｒを有する。固定部９２１Ｒは、円柱状の部材であって、ベルト９２の右端部に設けられている。固定端子９２２Ｒは、フレーム端子８２Ｒと電気的に接続されるための端子である。固定端子９２２Ｒは、固定部９２１Ｒの外面に設けられている。固定部９２１Ｒ及び固定端子９２２Ｒは、凹部８１Ｒに挿入されることによってフレーム８に着脱可能に固定されるとともに、フレーム端子８２Ｒと固定端子９２２Ｒとが互いに接触することで、電気的に接続される。
【００４２】
フレーム端子８２Ｌは、左電池３１と電気的に接続されており、フレーム端子８２Ｒは、右電池３２と電気的に接続されている。また、固定端子９２２Ｌ及び固定端子９２２Ｒは、センサ部４３と電気的に接続されている。つまり、固定部９２１Ｌ及び固定端子９２２Ｌが凹部８１Ｌに挿入され、固定部９２１Ｒ及び固定端子９２２Ｒが凹部８１Ｒに挿入されることによって、左電池３１及び右電池３２と、センサ部４３とは、それぞれ電気的に接続される。
【００４３】
［２−２．効果］
以上詳述した第２実施形態によれば、前述した第１実施形態と同様の効果に加え、以下の効果が得られる。
【００４４】
（２ａ）固定部９２１Ｌ及び固定端子９２２Ｌが凹部８１Ｌに挿入され、固定部９２１Ｒ及び固定端子９２２Ｒが凹部８１Ｒに挿入される。この着脱動作により、フレーム８とバンド９とが物理的に接続されるだけでなく、左電池３１及び右電池３２と、センサ部４３とも、それぞれ電気的に接続される。このような構成によれば、面ファスナーによって物理的に、またコネクタによって電気的にフレーム１とバンド４とを接続する、第１実施形態の構成と比較して、バンドの交換が容易となる。
【００４５】
なお、第２実施形態では、フレーム端子８２Ｌが第１のフレーム端子に相当し、フレーム端子８２Ｒが第２のフレーム端子に相当する。また、固定端子９２２Ｌが第１の固定端子に相当し、固定端子９２２Ｒが第２の固定端子に相当する。また、固定部９２１Ｌが第１の固定部に相当し、固定部９２１Ｒが第２の固定部に相当し、凹部８１Ｌが第１の受け部に相当し、凹部８１Ｒが第２の受け部に相当する。
【００４６】
［３．第３実施形態］
［３−１．構成］
第３実施形態の生体信号計測装置３００は、図１０及び図１１に示すように、第１実施形態の生体信号計測装置１００と比較して、遮蔽部品１０を更に有する点が異なる。その他、基本的な構成は第１実施形態と同様であり、第１実施形態と共通する構成については、同一符号を用いて説明を省略する。なお、図１０においては、遮蔽部品１０は斜線にて示されている。
【００４７】
遮蔽部品１０は、光を遮蔽するために設けられたスポンジ材である。遮蔽部品１０は、フレーム１と被験者の額との間に、被験者の頭部における上下方向に、バンド４を挟んで、２つ設置されている。遮蔽部品１０は、フレーム１の平面視において、三日月状であって、フレーム１と被験者の額との間の空間をすべて覆うように配置されている。これにより、当該２つの遮蔽部品１０の間の空間は光が遮蔽される。
【００４８】
［３−２．効果］
以上詳述した第３実施形態によれば、以下の効果が得られる。
（３ａ）遮蔽部品１０によって、フレーム１と被験者の額との間の空間は、光が遮蔽される。このような構成によれば、検知部４３２における、脳組織から拡散反射された光を検知する際、例えば室内の照明など、外部からの光の影響を受けにくくすることができる。その結果、第１実施形態と比較して、より精度の高い脳血流成分の計測が可能となる。
【００４９】
［４．他の実施形態］
以上、本開示の実施形態について説明したが、本開示は、上記各実施形態に限定されることなく、種々の形態を採り得ることは言うまでもない。
【００５０】
（４ａ）上記各実施形態では、光源４３１と、検知部４３２とによって、被験者の脳血流成分を計測する構成を例示した。しかし、脳血流の計測の手段はこれに限定されるものではなく、他の手段によって計測する構成としてもよい。
【００５１】
（４ｂ）上記各実施形態では、センサ部４３が、光源４３１と、検知部４３２と、基板４３３と、弾性体４３４と、処理部４３５と、を有する構成を例示した。しかし、センサ部の構成はこれに限定されるものではない。例えば、センサ部は、光源４３１及び検知部４３２の代わりに、異なる方法よって生体信号を検知するセンサを設けてもよい。また例えば、弾性体を有しない構成としてもよく、処理部がセンサ部以外の場所に設けられている構成としてもよい。
【００５２】
（４ｃ）上記各実施形態では、ガイドピン５１が接着材及びねじの締結によってボス孔４１Ｈに固定されている構成を例示した。しかし、ガイドピンとボスとの固定方法はこれに限定されるものではない。例えば、ガイドピンは、先端に塗布された接着材のみによってボスに設けられたボス孔に固定される構成でもよい。
【００５３】
（４ｄ）上記各実施形態では、弾性体４３４が、光源４３１の表面、検知部４３２の表面及び弾性体４３４の表面と面一に形成されている構成を例示した。しかし、センサ部の構成はこれに限定されるものではなく、弾性体は、センサ部における一部又はすべての他の部材の表面と面一に形成されていなくてもよい。
【００５４】
（４ｅ）上記第３実施形態では、スポンジ材である遮蔽部品１０を例示したが、遮蔽部品はこれに限定されるものではない。遮蔽部品は、例えば、スポンジ材以外の弾性体であってもよく、また例えば、剛体であってもよい。
【００５５】
（４ｆ）上記第３実施形態では、遮蔽部品１０が、フレーム１の平面視において、フレーム１と被験者の額との間に存在する空間をすべて覆うように配置されている構成を例示した。しかし、遮蔽部品の構成はこれに限定されるものではなく、例えば、遮蔽部品が、フレーム１と被験者の額との間に存在する空間の一部を覆うように配置されていてもよい。
【００５６】
（４ｇ）上記各実施形態では、各生体信号計測装置１００，２００，３００が、近赤外分光法によって脳血流成分を計測する構成を例示した。しかし、生体信号計測装置の構成は特に限定されない。例えば、生体信号計測装置は、電位差を検知することによって脳波を計測する装置であってもよく、また眼球運動、筋電図、心電図、脈波及び接触圧力等を計測する装置であってもよい。
【００５７】
（４ｈ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００５８】
１，８…フレーム、２１，２２…受け部、３１…左電池、３２…右電池、４２，９２…ベルト、４２Ｌ，４２Ｒ，９２１Ｌ，９２１Ｒ…固定部、１００，２００，３００…生体信号計測装置、４３２…検知部、４３５…処理部。
【図１】
2018061572.tif 000003
【図２】
2018061572.tif 000004
【図３】
2018061572.tif 000005
【図４】
2018061572.tif 000006
【図５】
2018061572.tif 000007
【図６】
2018061572.tif 000008
【図７】
2018061572.tif 000009
【図８】
2018061572.tif 000010
【図９】
2018061572.tif 000011
【図１０】
2018061572.tif 000012
【図１１】
2018061572.tif 000013